(57)【特許請求の範囲】
【請求項１】
２つの側部と２つの端部を有する板紙バスケット型の運搬具であって、該運搬具は、
第１の側と第２の側を有する、長手方向に延在する中央壁と、
該中央壁から折り出され、該中央壁から延出する少なくとも一つの仕切り、を含む複数の中央壁区画仕切りと、
一対の下方延在部を有する把手部であって、一方の該下方延長部は該中央壁の該第１の側に配置され、他方の該下方延長部は該中央壁の該第２の側に配置され、少なくとも一つのフック形成部が該一対の下方延在部に形成されている把手部と、
該運搬具の底の底壁と、
該運搬具のそれぞれの端部に位置する一対の端壁と、
該運搬具のそれぞれの側部に位置する一対の側壁であって、該中央壁区画仕切りは接着により該側壁に固定されている、一対の側壁と、
前記一対の側壁から該把手部まで延出した相互接続ウェブと、
複数の物品収容区画であって、少なくとも二つの該物品収容区画が該中央壁の各側に配置され、各該物品収容区画は、少なくとも部分的に該底壁と一つの該側壁と該中央壁と少なくとも一つの該中央壁区画仕切りによって画定される、複数の物品収容区画と、
を有し、
該フック形成部は、一つの該区画仕切りに形成され該中央壁に隣接して配置された協働端と、取り外し可能に係合し、該把手部は該中央壁に対して下降位置と上昇位置の間で可動である、
運搬具。
【請求項２】
１つの前記相互接続ウェブが各前記側壁の端部に設けられる、請求項１に記載の運搬具。
【請求項３】
前記複数の相互接続ウェブには複数の折り目が設けられる、請求項２に記載の運搬具。
【請求項４】
前記底壁は、前記２つの端壁の間に延びる中央折り線を有する、請求項２に記載の運搬具。
【請求項５】
前記下方延在部のぞれぞれは斜め切り欠き下縁部を有する、請求項１に記載の運搬具。
【請求項６】
前記複数の仕切りは、前記中央壁のそれぞれの側から延出する少なくとも２つの仕切りを有する、ことを特徴とする請求項１に記載の運搬具。
【請求項７】
前記中央壁の各側にある前記少なくとも２つの仕切りは、前記中央壁の一部である部分中央壁から切り取られる、ことを特徴とする請求項６に記載の運搬具。
【請求項８】
板紙ブランクは、
それぞれが一対の区画仕切りにヒンジ接続している、一対の部分中央壁と
該部分中央壁の一つが部分端壁にヒンジ接続している、複数の部分端壁と、
それぞれが少なくとも一つの該部分端壁とヒンジ接続している、一対の側壁と、
一つの該側壁とヒンジ接続している底パネルと、
それぞれが該側壁の一つと２つの相互接続ウェブによって接続している、一対の把手パネルと、
を有し、
該把手パネルのそれぞれはフック形成部を有する下方延在部を含み、該区画仕切りに協働縁が形成され、
各該部分中央壁の該一対の区画仕切りは第１の仕切りと第２の仕切りからなり、該第１の仕切りは折り曲げ可能に該第１の仕切りに接続された第１のタブを有し、該第２の仕切りは折り曲げ可能に該第２の仕切りに接続された第２のタブを有し、該第１のタブは該第１の仕切りに対して折り曲げられ、該第２のタブは該第２の仕切りに対して折り曲げられる、
ことを特徴とする板紙ブランク。
【請求項９】
一つの相互接続ウェブは、各前記側壁の各端部に接続している、ことを特徴とする請求項８に記載の板紙ブランク。
【請求項１０】
前記相互接続ウェブには複数の折り目が設けられる、ことを特徴とする請求項９に記載の板紙ブランク。
【請求項１１】
前記底パネルは中央折り線を有する、ことを特徴とする請求項８に記載の板紙ブランク。
【請求項１２】
下方延在部のそれぞれは斜め切り欠き下縁部を有する、ことを特徴とする請求項８に記載の板紙ブランク。
【請求項１３】
一対の補強パネルをさらに有し、該補強パネルのそれぞれは該相互接続ウェブの一つにヒンジ接続している、ことを特徴とする請求項８に記載の板紙ブランク。
【請求項１４】
各該一対の仕切りの該第２の仕切りは、折り線においてそれぞれ前記部分中央壁に接続し、各該第１の仕切りの該第１のタブは、該第２の仕切りの該折り線を越えて延在する、ことを特徴とする請求項８に記載の板紙ブランク。
【請求項１５】
前記第１のタブは、タブ折り線において第１の仕切りに折り曲げ可能に接続し、該タブ折り線は、前記第２の仕切りを対応する前記部分中央壁に接続する前記折り線と同一の直線上にある、ことを特徴とする請求項１４に記載の板紙ブランク。
【請求項１６】
前記第１及び第２のタブは、対応する前記側壁の一つに取り付けられ、対応する第１及び第２の仕切りから突き出し、前記ブランクが運搬具に組み立てられた時には前記側壁に対して平行な方向に向けられる、ことを特徴とする請求項８に記載の板紙ブランク。
【発明の詳細な説明】
【技術分野】
【０００１】
本発明は、物品用の運搬容器、より詳細には、通常、瓶を運搬する、バスケット型の運搬容器に関する。
【背景技術】
【０００２】
［背景］
バスケット型の運搬容器は通常、直立把手部につながる長手方向に延びる中央壁を有する。中央壁の各側には、複数の瓶を収容する、上部が開口した区画セクションがある。さらにまた、一般に、各瓶に個別のポケットを画定するように、仕切り壁が各区画セクションの内側に設けられている。運搬容器は、完全に立設されると、底面、中央壁にほぼ垂直な一対の端壁手段、及び中央壁にほぼ平行であるとともに端壁にヒンジ接続される一対の側壁を有する。
【０００３】
運搬容器は、完全に接合しているか又は一対の底面パネル以外が接合している平坦状態で飲料メーカ等のエンドユーザに供給されることが一般的である。その後、エンドユーザは運搬容器をパッケージ機にかけ、パッケージ機により、運搬容器を開き、瓶を入れ、必要な場合は底面パネルを閉じておく。
【０００４】
ＥＰ−Ａ−１３１９６０７では、長手方向に延びる中央壁と、中央壁の両側に物品収容区画と、把手部とを有する板紙バスケット型の運搬具であって、収容区画がそれぞれ、底壁と、中央壁にほぼ平行な側壁と、側壁間に延びるとともに側壁にヒンジ接続される一対の端壁と、中央壁から折り込まれるとともに側壁に固着される区画仕切りを有する中央壁とで画定され、把手部は、中央壁から隔たれており、上昇位置及び下降位置間で中央壁に対して移動可能であるとともに、一対の側壁から延びる相互接続ウェブにより運搬具の残りの部分に接続され、解除可能な相互接続部が把手部と運搬具の残りの部分との間に設けられて把手部を下降位置に保持する、板紙バスケット型の運搬具が提供されている。
【発明の開示】
【課題を解決するための手段】
【０００５】
［概要］
本発明によれば、長手方向に延びる中央壁と、当該中央壁の両側に物品収容区画と、把手部とを有する、板紙バスケット型の運搬具であって、収容区画はそれぞれ、底壁と、上記中央壁にほぼ平行な側壁と、当該側壁間に延びるとともに該側壁にヒンジ接続される一対の端壁と、上記中央壁から折り込まれるとともに上記側壁に固着される、中央壁の区画仕切りとで画定され、上記把手部は、上記中央壁とは隔てられており、上昇位置及び下降位置間で上記中央壁に対して移動可能であり、上記一対の側壁から延びる相互接続ウェブにより当該運搬具の残りの部分に接続され、解除可能な相互接続部が上記把手部と当該運搬具の残りの部分との間に設けられて上記把手部を上記下降位置に保持し、上記解除可能な相互接続部は、上記把手部の一対の下方延在部のそれぞれに形成されるフック形成部と、上記中央壁に隣接した位置で上記区画仕切りのうちの１つに形成される協働縁とを含み、上記延在部は上記中央壁の各側に１つずつ設けられている、運搬具が提供される。
【０００６】
１つの相互接続ウェブが各側壁の各長手方向端に設けられることができ、また、複数の相互接続ウェブが複数の厚みを有する。便宜上、上昇位置及び下降位置間で把手部が移動しやすくなるように複数の折り目が相互接続ウェブに設けられている。
【０００７】
底面壁は、一方の端壁から他方の端壁に延びる中心折れ線を有し得る。
【０００８】
下方延在部は、フック形成部の下に斜め切り欠き下縁部を有することができ、また、フック形成部と対向する端に斜め切り欠き下縁部を有することができる。
【０００９】
さらに、各協働縁が区画仕切りのうちの１つを折ることによって構成される。
【００１０】
次に、本発明の一実施形態をより詳細に説明する。
【発明を実施するための最良の形態】
【００１１】
［詳細な説明］
図には、マルチパックとして複数の物品を運搬するためのバスケット型のカートン１１を形成する板紙ブランク１０が示されている。図示の構成では、物品は、瓶密閉栓１３を有する瓶１２であり、カートン１１は、３本ずつの２列で総計６本の瓶１２を運搬するように設計される。本明細書を読めば明らかであろうが、他の物品も運搬することができ、各列に３つ以上の物品も可能である。
【００１２】
ブランク１０は、折り線Ａ−Ａに沿って接続される２つの主要な把手パネル１４を供える。主要な把手パネル１４はそれぞれ、折り込みフラップ１６を備えた把手穴１５を有し、これにより、装入されたカートン１１を運搬している際に快適さが添えられることが知られている。
【００１３】
各主要な把手パネル１４は、各長手方向端が相互接続ウェブ１７にヒンジ接続される。把手補強部１９及びウェブ補強セクション２０を有する補強パネル１８は、それぞれの主要な把手パネル１４に、及び、折り線Ｂ−Ｂ及びＣ−Ｃに沿って相互接続ウェブ１７にヒンジ接続される。また、各主要な把手パネル１４は、一端がフック形成部２２で終端している延在部２１を有する。
【００１４】
各相互接続ウェブ１７は、把手パネル１４から隔てて側壁２３にヒンジ接続され、この側壁２３は、下縁２４の一方の辺が主要な底面パネル２５へ、もう一方の辺が接合パネルの形態の二次的底面パネル２５にヒンジ接続される。代替的に、業界で既知のように、底面を固定するのにインターロック形成部を用いることができる。各側壁２３は、各長手方向端に相互接続ウェブ１７を有する。主要な底面パネル２５は、カートンが組み立てられると側壁２３間の中心にくる長手方向折り線４１を有する。
【００１５】
各側壁２３の各端縁２６に、部分端壁２７、２８がヒンジ接続される。部分中央壁３０、３１は、各部分端壁２７、２８に折り線２９に沿ってヒンジ接続される。側方仕切り３２、３３が、折り線３４、３５を中心にヒンジ接続されるべき部分中央壁３１から切取られている。各側方仕切り３２、３３には粘着タブ３６が切取られており、このタブは折り線３７で側方仕切りにヒンジ接続されている。
【００１６】
カートン１１の組み立ては以下の通りである。まず、補強パネル１８を折り線Ｂ−Ｂ及びＣ−Ｃを中心に折り、主要な把手パネル１４及び相互接続ウェブ１７の内側に固着する。次に、部分中央壁３１を、隣接の部分端壁２８及び側壁２３に重なるように折り線２９を中心に１８０°折る。側方仕切り３２、３３の粘着タブ３６に接着剤を塗布して、これらをそれぞれの側壁２３に固定する。
【００１７】
次いで、もう一方の部分中央壁３０は、それらの関連する部分端壁２７とともに、縁２６を中心に１８０°折られる。部分中央壁３０の上部に接着剤を塗布して、これらを、上に重なるそれぞれの部分中央壁３１に固定する。
【００１８】
次いで、部分的に組み立てられたカートン１１は、折り線Ａ−Ａを中心に折られ、２つの補強把手パネル１４が互いに固着されるが、延在部２１は互いとは固定されない。また、側方仕切り３２、３３付近の側方仕切り３２、３３を含まない、部分壁３０、３１の部分も一緒に固着される。次いで、底面２５が、部分端壁と、中央壁と、側壁と、底面パネルとで画定される物品収容区画に瓶が挿入される前に又は挿入された後で、互いと固定されることができる。各延在部２１は、それぞれの中央壁の外側にあるままである。
【００１９】
組み立てられたカートン１１は、この実施形態では、物品が挿入されるときに上方に開口している平坦状態に組み立てられることは明らかであろう。
【００２０】
カートン１１が上方に開口している際、側方仕切り３３が部分中央壁３１の平面からヒンジ接続している場合にはフック収容縁又はノッチ３８が見えることになる。把手セクション１４、２１は、４つの補強相互接続ウェブ１７によってのみ物品収容区画に結合される。したがって、把手セクション１４、２１は、カートン１１の中央壁３０、３１に対して上下に移動可能である。組み立てられると、中央壁の両側で主要な把手パネル１４から下方に延びる一対の延在部２１は、把手セクション１４、２１を下降位置に保持するようにノッチ３８にフック形成部２２が係合することができるような寸法である。延在部はそれぞれ、各端に、フック形成部２２の下に斜め切り欠き４２を有するため、パックが上方に開口され、図３及び図４に明確に示すように把手部が下降する際に、側方仕切り３３を通すことが可能になる。中央壁の両側のいずれにも接合されていない延在部２１を備えていることは、パックに対称性を与えるとともに中央壁を中心に保つのに役立つ。一般に、瓶１２が挿入される際、主要な把手パネル１４は、把手セクション１４、２１が下降位置にある場合では瓶より上には出ない。このことは、貯蔵及び積み重ねる上で理想的である。
【００２１】
しかしながら、エンドユーザは、把手穴１５により把手部を把持し、把手部を上げることができる。ノッチ３８内でのフック形成部２２の相互係合は容易に解除され、把手穴１５が瓶１２よりも上にくるように把手セクション１４、２１を上方に移動することが可能になる。相互接続ウェブ１７に任意の複数の折り目３９を設けて、下降位置及び上昇位置間の移動を容易にしてもよい。
【００２２】
図示のカートン１１は、補強ウエブ１７を備えた４層の把手領域１４を有しているが、運搬すべき重量及び板紙の強度によっては補強は必要でない場合もある。また、カートン１１は、図示の６本よりも多い又はさらに少ない本数の瓶を運搬するように容易に変更することができる。
【図面の簡単な説明】
【００２３】
【図１】本発明によるバスケット型の運搬具を形成するブランクを示す図である。
【図２】平坦に折り畳まれた状態での組み立て運搬具の側面図である。
【図３】上方に開口しようとしている運搬具の側面斜視図である。
【図４】さらに、上方に開口した状態での運搬具の側面斜視図である。
【図５】物品を収容する段階の完全に開口した状態での運搬具の側面斜視図である。
【図６】把手部が下降した状態での装入された運搬具の斜視図である。
【図７】把手部が上昇した状態で運搬されている、装入された運搬具の斜視図である。
【図１】
0004504425.tif 000002
【図２】
0004504425.tif 000003
【図３】
0004504425.tif 000004
【図４】
0004504425.tif 000005
【図５】
0004504425.tif 000006
【図６】
0004504425.tif 000007
【図７】
0004504425.tif 000008